(57)【特許請求の範囲】
【請求項１】
風選部（Ｂ）上に脱ぷ部（Ａ）を載設した脱ぷ風選機（Ｘ）の後側部に、風選部（Ｂ）で風選されたものを選別する米選部（Ｃ）と、混入する異物を除去する石抜き部（Ｄ）と、異物の除去されたものを精穀する精米部（Ｅ）とを立体的に配置連設して一体的に構成し、石抜き部（Ｄ）から精米部（Ｅ）に供給する穀粒の余剰分を還元するオ−バ−フロ−樋（６）の排出がわを前記風選部（Ｂ）の集穀横送樋（７）内に連通してあることを特徴とする籾摺精米装置。
【請求項２】
脱ぷ風選機（Ｘ）の後側部に連設する米選部（Ｃ）と石抜き部（Ｄ）と精米部（Ｅ）とを略々密閉状のケ−ス（８）内に収蔵して、該ケ−ス（８）内を前記風選部（Ｂ）の吸引選別風路（９）の始端がわに連通して構成したことを特徴とする請求項１．記載の籾摺精米装置。
【発明の詳細な説明】
【０００１】
【産業上の利用分野】
本発明は、脱ぷ部と風選部とからなる脱ぷ風選機に、米選部と石抜き部と精米部とを連設して一体的に構成する籾摺精米装置に関するものである。
【０００２】
【従来の技術】
従来の籾摺精米装置は、脱ぷ風選機と米選部と石抜き部と精米部が並設状態になって平面的に組み合わされ籾から白米を得るようになっている。それ故に、設置面積が大になるので狭い作業場での作業には不適となり、且つ作業場を移動するとき運搬にも不便である。また、石抜き部から精米部に供給される穀粒のうち精米部の処理能力以上の余剰の穀粒はオ−バ−フロ−樋から別途の手段を介して前工程に還元する構成が採用されているので、構成が煩雑になり重量も増加して一層運搬を不便にしている。
【０００３】
【発明が解決しようとする課題】
このように、従来の籾摺精米装置は、前項に記載のような欠点を有しているので、本発明にあっては脱ぷ風選機に連設するところの米選部と石抜き部と精米部とを立体的に配置して、装置全体をコンパクトなものにし設置面積を小にして取扱性のよいものにするとともに、石抜き部から精米部に供給される余剰の穀粒をオ−バ−フロ−樋から直接風選部の集穀横送樋に還元して別途の還元手段を省き構成を簡単にし軽量化がはかれるようにするのを目的として創作されたものである。
【０００４】
【課題を解決するための手段】
本発明は、上記の目的を達成することのできる装置を提供するために、風選部上に脱ぷ部を載設した脱ぷ風選機の後側部に、風選部で風選されたものを選別する米選部と、混入する異物を除去する石抜き部と、異物の除去されたものを精穀する精米部とを立体的に配置連設して一体的に構成し、石抜き部から精米部に供給する穀粒の余剰分を還元するオ−バ−フロ−樋の排出がわを前記風選部の集穀横送樋内に連通してあることを特徴とするものである。
【０００５】
【作用】
したがって、脱ぷ風選機における脱ぷ部の籾漏斗に投入される籾は脱ぷされ、その摺落物は下方の風選部で風選されて籾殻や粃類が排出除去され、玄米と籾の混合米はこの脱ぷ風選機の後側部に立体的に配置連設し一体的になっているところの米選部と石抜き部によって未熟米と混入している異物がそれぞれ取出され、その取出されたあとの穀粒が精米部により精穀されて白米になるのである。
【０００６】
これにより、脱ぷ風選機によって脱ぷ風選された玄米と籾の混合米は、この脱ぷ風選機の後側部に立体的に配置連設するところの、米選部と石抜き部と精米部とによって未熟米と異物が取り除かれ精穀されるようになり、機体は全体として前後方向に長手になるが、装置全体がコンパクトになって設置面積を小にし狭い作業場での作業にも適し且つ移動運搬も便利になる。また、石抜き部から精米部に供給する穀粒の余剰分はオ−バ−フロ−樋から風選部の集穀横送樋内に還元されて別途の還元手段が不要になり構成を簡単にして軽量化するのである。
【０００７】
【実施例】
本発明による籾摺精米装置について実施例図を参照し以下に説明すると、（Ａ）は籾漏斗（２）と一対の脱ぷロ−ル（１０）等を具備する脱ぷ部、（Ｂ）は前部に吸引排塵ファン（１１）を備えて吸引選別風路（９）を形成する風選部で、この風選部（Ｂ）上に脱ぷ部（Ａ）が載設されて脱ぷ風選機（Ｘ）を構成している。そして、吸引選別風路（９）を機体の前後方向に形成するとともに、脱ぷロ−ル軸（３）を吸引選別風路（９）に対して直交する機体の幅方向にしてある。なお、（７）は吸引選別風路（９）底部の始端がわに横設されている残粒排出弁付きの集穀横送樋、（１２）は粃取出樋、（１３）は脱ぷ率等の脱ぷ状況を観察するための開閉弁付きのサンプル取出樋である。
【０００８】
次に、（Ｃ）は周面に粒形の小なるものが漏出する選別孔を多数形設した多角筒状の選別胴（１４）を回転自在にして緩傾斜状態に横架した米選部、（Ｄ）は選別盤（５）の盤面に無数の噴風口を開口し傾斜状態で揺動して穀粒中に混入する異物を除去する石抜き部、（Ｅ）は除糠胴により囲繞して形成する精穀室（１５）内に精穀ロ−ル（１６）を内装して精穀する横型噴風式の精米部であって、これら米選部（Ｃ）と石抜き部（Ｄ）と精米部（Ｅ）は略々密閉状のケ−ス（８）内に収蔵され、その米選部（Ｃ）はケ−ス（８）内の前側寄りに、石抜き部（Ｄ）は後側寄りに、また、精米部（Ｅ）は前側寄りにそれぞれ位置してケ−ス（８）内に上方から下方へと順次立体的に配置され脱ぷ風選機（Ｘ）の後側部に連設して、この脱ぷ風選機（Ｘ）と一体的に構成され全体として機体は前後方向に長手のものになっている。
【０００９】
そして、米選部（Ｃ）は前記風選部（Ｂ）の集穀横送樋（７）の一側がわに立設するスロワ−（１７）によって揚上されたものを選別し、石抜き部（Ｄ）は米選部（Ｃ）を通過した穀粒中の異物を除去するとともに、精米部（Ｅ）は石抜き部（Ｄ）で異物が除去されたものを精穀するようにしている。
【００１０】
また、前記選別胴（１４）はその回転軸芯をケ−ス（８）の前後方向にし、供給がわを前側にして米選部（Ｃ）を脱ぷ部（Ａ）の籾漏斗（２）に隣設させ、石抜き部（Ｄ）の選別盤（５）は傾斜上位がわを後側にし揺動方向（イ）をケ−ス（８）の前後方向にしている。また、精米部（Ｅ）はその精穀ロ−ル軸（４）をケ−ス（８）の幅方向にして設置されている。
【００１１】
（１８）は前記ケ−ス（８）の前側上部に連設して下部を前記籾漏斗（２）内にのぞませた受筒で、その上部がわには選別胴（１４）の供給がわに挿入する供給樋（１９）を分岐突設し、その分岐部には下端を軸にして傾動可能の分配弁（１）が装着されてスロワ−（１７）により揚上されたものを受筒（１８）がわと供給樋（１９）がわとに配分するようにしてある。
【００１２】
（２０）は選別胴（１４）の排出がわから流出するものを選別盤（５）上に流下させる流穀樋、（２１）は選別胴（１４）の周面から漏出したものを受けて取出す未熟粒取出樋、（２２）は石抜き部（Ｄ）における噴風起風用の圧風ファン、（２３）は選出された異物を取出す異物取出樋、（２４）は異物の除去されたものを精米部（Ｅ）のホッパ−（２５）内に流下させる流下樋、（６）はホッパ−（２５）から精米部（Ｅ）に供給する余剰分の穀粒を還元するオ−バ−フロ−樋で、その排出がわを前記集穀横送樋（７）の上方にのぞませてある。
【００１３】
また、（２６）は精穀室（１５）に接続する送穀室、（２７）は送穀室（２６）内へ送風する送風ファン、（２８）は精穀室（１５）から糠を吸引して排出する除糠ファン、（２９）はその排出筒であり、（３０）は精穀室（１５）からの白米を取出す白米取出樋、（３１）は精穀圧力調節部材である。そして、前記密閉状ケ−ス（８）の後壁下部には外気吸入口（３２）が開口し、ケ−ス（８）の前側部は前記風選部（Ｂ）の吸引選別風路（９）の始端がわに連通している。
【００１４】
（Ｍ）は電動モ−タで、このモ−タ（Ｍ）から精米部（Ｅ）の精穀ロ−ル軸（４）をベルト駆動し、精穀ロ−ル軸（４）から脱ぷ部（Ａ）の脱ぷロ−ル軸（３）および送風ファン（２７）と除糠ファン（２８）をそれぞれベルト伝動するとともに、石抜き部（Ｄ）の圧風ファン（２２）と揺動機構（３３）とをベルト伝動している。また、米選部（Ｃ）の選別胴（１４）は別途のモ−タ（ｍ）によって回転させ、風選部（Ｂ）の各回転部には脱ぷロ−ル軸（３）からベルト掛けによる通常の伝動手段（図示省略）によって駆動させている。
【００１５】
これにより、籾漏斗（２）に投入される籾は脱ぷ部（Ａ）で脱ぷされ、その摺落物は吸引選別風路（９）で風選されて籾殻は吸引排塵ファン（１１）から排塵されるとともに、粃類は粃取出樋（１２）から除去されて、玄米と籾の混合米は集穀横送樋（７）内に入りスロワ−（１７）によって揚上され、その揚上されたものが受筒（１８）内に落下する間に分配弁（１）によって受筒（１８）がわと供給樋（１９）がわとに配分され、受筒（１８）がわに配分されたものは脱ぷ風選機（Ｘ）内を循環して脱ぷ風選が反復され、供給樋（１９）がわに配分されたものが選別胴（１４）の供給がわに流入して選別作用を受け、選別胴（１４）の周面から漏出する未熟米は未熟粒取出樋（２１）により取出され、漏出しないものが排出がわから流出し流穀樋（２０）により選別盤（５）上に供給されて選別盤（５）の（イ）方向の揺動運動と盤面から吹き上げる噴風とによって混入する異物は揺上げられ異物取出樋（２３）から取出され、その取出されたあとの穀粒が流下樋（２４）からホッパ−（２５）内に流下して、送穀室（２６）から精穀室（１５）に送り込まれて精穀され、精穀室（１５）内で生じた糠は除糠ファン（２８）により排出されるとともに、白米は白米取出樋（３０）から取出されるようになって籾から白米になるのである。
【００１６】
このようにして籾から白米になるのであるが、その場合、分配弁（１）によってスロワ−（１７）により揚上されたものが受筒（１８）がわと供給樋（１９）がわに配分されるものは、受筒（１８）がわ２．に対して供給樋（１９）がわ１．の割合に配分するようにしてあって、揚上された全量のうち３分の２の量を脱ぷ部（Ａ）に返して脱ぷ風選機（Ｘ）内を循環させて脱ぷ率をあげ完全脱ぷに近付けるのである。勿論、作業の開始時と終了が近くなった時は分配弁（１）を「図１」の仮想選のように傾動して全量のものを脱ぷ部（Ａ）に返すようにするのである。また、選別盤（５）の流下樋（２４）からホッパ−（２５）内に流下するもののうち余剰分の穀粒はオ−バ−フロ−樋（６）から集穀横送樋（７）内に還元されるようになり、精米部（Ｅ）の精穀室（１５）内における精穀は、精穀圧力調節部材（３１）を操作して室内の圧力を適度に調整して白米にし、その白米は白米取出樋（３０）から取出されるのである。
【００１７】
また、作業中にはケ−ス（８）の後壁下部に開口する外気吸入口（３２）から外気が（ロ）のようにケ−ス（８）内に吸入され、その吸入された外気は石抜き部（Ｄ）の圧風ファン（２２）内に（ハ）のように吸引されて選別盤（５）の盤面から吹き上げる噴風となって（ニ）の如く吹き上がり、ケ−ス（８）内を前側部に吹流し（ホ）（ヘ）のように通って吸引排塵ファン（１１）に吸引されるようになって、米選部（Ｃ）と石抜き部（Ｄ）で発生する塵埃を籾殻などと共に機外に排出するのである。
【００１８】
そして、このように脱ぷ風選機（Ｘ）の後側部に連設する米選部（Ｃ）と石抜き部（Ｄ）と精米部（Ｅ）とを略々密閉状のケ−ス（８）内に収蔵して、該ケ−ス（８）内を前記風選部（Ｂ）の吸引選別風路（９）の始端がわに連通すると、米選部（Ｃ）と石抜き部（Ｄ）で発生する塵埃は吸引選別風路から籾殻と共に吸引排塵ファンに吸引され機外に排出されるので、発生する塵埃排出のための手段を設ける必要がなく、一層装置全体のコンパクト化・軽量化をはかることができるのである。
【００１９】
【発明の効果】
本発明は、以上述べたように、風選部（Ｂ）上に脱ぷ部（Ａ）を載設した脱ぷ風選機（Ｘ）の後側部に、風選部（Ｂ）で風選されたものを選別する米選部（Ｃ）と、混入する異物を除去する石抜き部（Ｄ）と、異物の除去されたものを精穀する精米部（Ｅ）とを立体的に配置連設して一体的に構成し、石抜き部（Ｄ）から精米部（Ｅ）に供給する穀粒の余剰分を還元するオ−バ−フロ−樋（６）の排出がわを前記風選部（Ｂ）の集穀横送樋（７）内に連通してあることを特徴とする籾摺精米装置にしたから、脱ぷ風選機（Ｘ）によって脱ぷ風選された玄米と籾の混合米は、この脱ぷ風選機（Ｘ）の後側部に立体的に配置連設するところの、米選部（Ｃ）と石抜き部（Ｄ）と精米部（Ｅ）とによって未熟米と異物が取り除かれ精穀されるようになり、装置全体がコンパクトになって設置面積を小にし狭い作業場での作業にも適し且つ移動運搬も便利になって取扱性に優れたものになる。また、石抜き部（Ｄ）から精米部（Ｅ）に供給する穀粒の余剰分はオ−バ−フロ−樋（６）から直接風選部（Ｂ）の集穀横送樋（７）内に還元されるので別途の還元手段が不要になり構成を簡単にして軽量化できるのである。
【図面の簡単な説明】
【図１】籾摺精米装置の側面図である。
【図２】同籾摺精米装置の後方視図である。
【図３】同装置の平面図である。
【符号の説明】
Ａ    脱ぷ部
Ｂ    風選部
Ｘ    脱ぷ風選機
Ｃ    米選部
Ｄ    石抜き部
Ｅ    精米部
６    オ−バ−フロ−樋
７    集穀横送樋
８    ケ−ス
９    吸引選別風路
【図１】
0003581468.tif 000002
【図２】
0003581468.tif 000003
【図３】
0003581468.tif 000004